(57)【特許請求の範囲】
【請求項１】
メディア再生方法であって：
ユーザーがメディア再生活動を実行するときに、カメラをオンにして撮影範囲内の人間の目の数を検出し、初期閲覧者数を決定する段階と；
設定された間隔で人間の目の数を検出して現在の閲覧者数を決定し、現在の閲覧者数が前記初期閲覧者数より大きい場合には再生画像を暗号化する段階とを含む、
方法。
【請求項２】
カメラをオンにして撮影範囲内の人間の目の数を検出し、初期閲覧者数を決定する前記段階のあとに、当該方法がさらに：
前記設定された間隔で人間の目の数を検出して現在の閲覧者数を決定し、現在の閲覧者数が前記初期閲覧者数以下である場合には前記初期閲覧者数を更新し、前記現在の閲覧者数を更新された初期閲覧者数として使う段階を含む、
請求項１記載の方法。
【請求項３】
再生画像を暗号化する前記段階の前に、当該方法がさらに：
現在の閲覧者数が前記初期閲覧者数より大きい場合、閲覧者数を増やすかどうかを決定し、閲覧者数を増やすことが決定される場合、前記初期閲覧者数を更新し、前記現在の閲覧者数を更新された初期閲覧者数として使う段階と；
閲覧者数を増やさないことが決定される場合、画面角度を調整するかどうかを決定し、画面角度を調整すると決定される場合、画面角度が調整され閲覧者数が前記初期閲覧者数に戻ったことが検出されたのちに、再生活動を継続する段階と；
画面角度を調整しないと決定される場合、前記再生画像を暗号化する段階とを含む、
請求項１記載の方法。
【請求項４】
再生画像を暗号化する前記段階のあとに、当該方法がさらに：
再生活動を停止することが要求されるかどうかを判定し；再生活動を停止することが要求される場合、再生活動を終了し、再生活動を停止することが要求されない場合、再生活動を再開する段階を含む、
請求項１記載の方法。
【請求項５】
カメラをオンにして撮影範囲内の人間の目の数を検出することが：
手動で前記カメラをオンにすること；または
前記カメラを再生装置と関連付け、再生活動が検出されるときに前記カメラを自動的にオンにすることを含む、
請求項１記載の方法。
【請求項６】
前記再生活動において再生されるコンテンツがビデオ、ピクチャーまたはテキストを含む、請求項１記載の方法。
【請求項７】
メディア再生方法であって：
ユーザーがメディア再生活動を実行するときに、カメラをオンにして撮影範囲内の人間の目の数を検出し、初期閲覧者数を決定する段階と；
設定された間隔で人間の目の数を検出して現在の閲覧者数を決定し、現在の閲覧者数が前記初期閲覧者数より大きい場合には再生画像を暗号化する段階と；
前記再生画像が暗号化されたのち、閲覧者数を増やすかどうかを決定し、閲覧者数を増やすことが決定される場合、前記初期閲覧者数を更新し、前記現在の閲覧者数を更新された初期閲覧者数として使う段階と；
閲覧者数を増やさないことが決定される場合、画面角度を調整するかどうかを決定し、画面角度を調整すると決定される場合、画面角度が調整され閲覧者数が前記初期閲覧者数に戻ったことが検出されたのちに、再生活動を継続し、画面角度を調整しないと決定される場合、前記再生画像を暗号化された状態に保持する段階とを含む、
方法。
【請求項８】
前記再生画像を暗号化された状態に保持する前記段階のあとに、当該方法がさらに：
再生活動を停止することが要求されるかどうかを判定し；再生活動を停止することが要求される場合、再生活動を終了し、再生活動を停止することが要求されない場合、再生活動を再開する段階を含む、
請求項７記載の方法。
【請求項９】
メディア再生装置であって：
ユーザーがメディア再生活動を実行するときに、カメラをオンにして撮影範囲内の人間の目の数を検出し、初期閲覧者数を決定するよう構成された第一の決定ユニットと；
設定された間隔で人間の目の数を検出して現在の閲覧者数を決定し、現在の閲覧者数が前記初期閲覧者数より大きい場合には再生画像を暗号化するよう構成された処理ユニットとを有する、
装置。
【請求項１０】
前記処理ユニットがさらに：
前記設定された間隔で人間の目の数を検出して現在の閲覧者数を決定し、現在の閲覧者数が前記初期閲覧者数以下である場合には前記初期閲覧者数を更新し、前記現在の閲覧者数を更新された初期閲覧者数として使うよう構成されている、
請求項９記載の装置。
【請求項１１】
前記処理ユニットがさらに：
現在の閲覧者数が前記初期閲覧者数より大きい場合、閲覧者数を増やすかどうかを決定し、閲覧者数を増やすことが決定される場合、前記初期閲覧者数を更新し、前記現在の閲覧者数を更新された初期閲覧者数として使い、閲覧者数を増やさないことが決定される場合、第三の決定ユニットに実行をさせるよう構成されている第二の決定ユニットと；
画面角度を調整するかどうかを決定し、画面角度を調整すると決定される場合、画面角度が調整され閲覧者数が前記初期閲覧者数に戻ったことが検出されたのちに、再生活動の実行を続け、画面角度を調整しないと決定される場合、前記再生画像を暗号化するよう構成されている前記第三の決定ユニットとを有する、
請求項９記載の装置。
【請求項１２】
再生活動を停止することが要求されるかどうかを判定し；再生活動を停止することが要求される場合、再生活動を終了し、再生活動を停止することが要求されない場合、再生活動を再開するよう構成されている、第四の決定ユニットをさらに有する、
請求項９記載の装置。
【請求項１３】
カメラをオンにして撮影範囲内の人間の目の数を検出することが：
手動で前記カメラをオンにすること；または
前記カメラを再生装置と関連付け、再生活動が検出されるときに前記カメラを自動的にオンにすることを含む、
請求項９記載の装置。
【請求項１４】
前記再生活動において再生されるコンテンツがビデオ、ピクチャーまたはテキストを含む、請求項９記載の装置。
【請求項１５】
メディア再生装置であって：
ユーザーがメディア再生活動を実行するときに、カメラをオンにして撮影範囲内の人間の目の数を検出し、初期閲覧者数を決定するよう構成されている第一の決定ユニットと；
設定された間隔で人間の目の数を検出して現在の閲覧者数を決定し、現在の閲覧者数が前記初期閲覧者数より大きい場合には再生画像を暗号化するよう構成されている処理ユニットと；
前記現在の閲覧者数が前記初期閲覧者数より大きい場合、閲覧者数を増やすかどうかを決定し、閲覧者数を増やすことが決定される場合、前記初期閲覧者数を更新し、前記現在の閲覧者数を更新された初期閲覧者数として使い、閲覧者数を増やさないことが決定される場合、第三の決定ユニットに実行をさせる第二の決定ユニットと；
画面角度を調整するかどうかを決定し、画面角度を調整すると決定される場合、画面角度が調整され閲覧者数が前記初期閲覧者数に戻ったことが検出されたのちに、再生活動の実行を続け、画面角度を調整しないと決定される場合、前記再生画像を暗号化された状態に保持するよう構成されている前記第三の決定ユニットとを有する、
装置。
【請求項１６】
再生活動を停止することが要求されるかどうかを判定し；再生活動を停止することが要求される場合、再生活動を終了し、再生活動を停止することが要求されない場合、再生活動を再開するよう構成されている第四の決定ユニットをさらに有する、
請求項１５記載の装置。
【発明の詳細な説明】
【技術分野】
【０００１】
本発明は、コンピュータ技術の分野に、詳細にはメディア再生方法および装置に関する。
【背景技術】
【０００２】
マルチメディア技術の発展および個人用電子機器の普及により、人々はしばしば、ビデオ・チャット、ビデオ通話、ビデオ再生および写真およびテキスト読みのような個人のプライバシーに関係するメディア再生に関わる何らかの振る舞いを実行するために、携帯電話、タブレット・コンピュータ（パッド）またはコンピュータのような装置を生活においてさまざまな状況で使う。ユーザーがそうした装置を公共の場所で上記の振る舞いを実行するために使うと、ユーザーのプライベートな情報が暴露される可能性が高い。それは、ユーザーにとって経済的な損失または別の種類の損失を引き起こす。
【０００３】
上記の状況に鑑み、従来技術においては主として二つの解決策がある。一つの解決策は：装置画面が偏光、屈折または他の光学的技術を使って改善され、ユーザーが画面上の情報を画面の正面に対してある範囲内の角度からのみ見ることができるようにし、それにより画面上の情報が、視線と画面前方との間にある角度、たとえば30度が形成されるときには見ることができないようにし、それによりプライバシー保護の目的を達成するというものである。もう一つの解決策は：現在のユーザーの顔認識を実行するために装置のカメラを使うことによって画像が捕捉され、ひとたびカメラの視野内に許諾されていない顔が検出されると、画面の画像が切り換えられて、のぞき見を防止し、ユーザー・プライバシーを保護するというものである。
【０００４】
本発明を実施するプロセスにおいて、従来技術は少なくとも以下の欠点をもつ：装置画面の改善は装置コストを上昇させるばかりでなく、画面の観察線の一部を妨げもし、これはユーザーの閲覧効果に影響する。さらに、画面の真正面からののぞき見は防げない。装置カメラによる顔認識は顔検出技術に過度に依存しており、撮影範囲に対して比較的高い要件を課す。小さな画面をもつ装置、たとえば携帯電話については、たいていの場合、のぞき見する者の顔はカメラの撮影範囲内に完全には現われないことがあり、のぞき見する者は横から画面を見ることができる。したがって、のぞき見を防止する効果は達成できない。
【発明の概要】
【発明が解決しようとする課題】
【０００５】
本発明の諸実施形態において与えられるメディア再生方法および装置によれば、装置のカメラが、目認識技術を使うことによってのぞき見する者の目を検出するために使われ、それにより、公共の場所におけるユーザーのプライベートなメディア再生振る舞いがのぞき見されるという問題を解決し、ユーザーのプライベートな情報を保護する。
【課題を解決するための手段】
【０００６】
本発明の実施形態において使われる技術的解決策は次のようなものである。
【０００７】
メディア再生方法であって：
ユーザーがメディア再生活動を実行するときに、カメラをオンにして撮影範囲内の人間の目の数を検出し、初期閲覧者数を決定する段階と；
設定された間隔で人間の目の数を検出して現在の閲覧者数を決定し、現在の閲覧者数が初期閲覧者数より大きい場合には再生画像を暗号化する段階とを含む、
方法が提供される。
【０００８】
メディア再生装置であって：
ユーザーがメディア再生活動を実行するときに、カメラをオンにして撮影範囲内の人間の目の数を検出し、初期閲覧者数を決定するよう構成された第一の決定ユニットと；
設定された間隔で人間の目の数を検出して現在の閲覧者数を決定し、現在の閲覧者数が初期閲覧者数より大きい場合には再生画像を暗号化するよう構成された処理ユニットとを有する、
装置が提供される。
【発明の効果】
【０００９】
従来技術に比べて、本発明の諸実施形態は、装置カメラおよび目検出技術が組み合わされる方法を使う。カメラの撮影範囲内の人間の目の数への変化が比較され、装置画面をのぞき見している別の人物がいるかどうかを判定する。人がのぞき見している場合には、再生されるコンテンツが暗号化される。伝統的な顔検出に比べて、本発明の実施形態は：のぞき見する者の顔がカメラの撮影範囲内に完全には現われない、のぞき見する者はのぞき見する者の目が撮影範囲内に現われる限り検出できることを実施する。このようにして、検出精度が大幅に改善され、それによりユーザーのプライベートな情報がのぞき見する者によってのぞき見されることが防止され、ユーザーの情報セキュリティが保護される。
【図面の簡単な説明】
【００１０】
本発明の実施形態の技術的解決策をより明瞭に記述するため、下記は実施形態または従来技術を記述するために必要とされる付属の図面を簡単に紹介する。明らかに、以下の記述における付属の図面は単に本発明のいくつかの実施形態を示すものであって、当業者は創造的な努力なしでもこれらの付属の図面から他の図面を導出しうる。
【図１】本発明の実施形態１に基づく方法のフローチャートである。
【図２】本発明の実施形態２に基づく方法のフローチャートである。
【図３Ａ】本発明の実施形態３に基づく方法のフローチャートの前半である。
【図３Ｂ】本発明の実施形態３に基づく方法のフローチャートの後半である。
【図４】本発明の実施形態４に基づく装置の概略的な構造図である。
【図５】本発明の実施形態４に基づく装置の概略的な構造図である。
【図６】本発明の実施形態５に基づく装置の概略的な構造図である。
【図７】本発明の実施形態５に基づく装置の概略的な構造図である。
【発明を実施するための形態】
【００１１】
下記は、本発明の実施形態における付属の図面を参照しつつ本発明の実施形態における技術的解決策を明確かつ完全に記述する。明らかに、記載される実施形態は単に本発明の実施形態の全部ではなく一部である。創造的な努力なしに本発明の該実施形態に基づいて当業者によって得られる他のすべての実施形態は本発明の保護範囲内にはいる。
【００１２】
本発明の技術的解決策の利点を一層明確にするために、下記は付属の図面および実施形態を参照しつつ、本発明を詳細に記述する。
【実施例１】
【００１３】
この実施形態は、メディア再生方法を提供する。図１に示されるように、本方法は：
１０１．ユーザーがメディア再生活動を実行するときに、カメラをオンにして撮影範囲内の人間の目の数を検出し、初期閲覧者数を決定する段階を含む。
【００１４】
たとえば、メディア再生活動の内容はビデオ、ピクチャー、テキストなどであってもよい。カメラをオンにして撮影範囲内の人間の目の数を検出するプロセスにおいて、カメラは手動でオンにされてもよい。たとえば、のぞき見防止ショートカット・キーが設定されて、カメラは該のぞき見防止ショートカット・キーに関連付けられる。カメラをオンにするためにこののぞき見防止ショートカット・キーが使われたのち、カメラは自動的にのぞき見防止機能を実行する。カメラは再生装置と関連付けられていてもよく、再生活動が検出されるときに、のぞき見防止機能を実行するよう、カメラは自動的にオンにされる。
【００１５】
さらに、初期閲覧者数が決定されたのち、カメラは、設定された間隔内に一度、人間の目の数を検出し、現在の閲覧者数を決定する。現在の閲覧者数が初期閲覧者数以下であれば、初期閲覧者数は更新され、現在の閲覧者数は、更新された初期閲覧者数として使われる。事前設定された継続時間がユーザーによって設定されてもよく、たとえば30msである。
【００１６】
１０２．設定された間隔で人間の目の数を検出して現在の閲覧者数を決定し、現在の閲覧者数が初期閲覧者数より大きい場合には再生画像を暗号化する段階。
【００１７】
具体的には、再生画像を暗号化する前に、本方法はさらに：現在の閲覧者数が初期閲覧者数より大きい場合には、閲覧者数を増やすかどうかを決定する段階と；閲覧者数を増やすと決定される場合、初期閲覧者数を更新し、現在の閲覧者数を更新された初期閲覧者数として使う段階と；閲覧者数を増やさないと決定される場合、画面角度を調整するかどうかを決定する段階と；画面角度を調整すると決定される場合、画面角度が調整され、閲覧者数が初期閲覧者数に復元されることが検出されたのち、再生活動を継続する段階と；画面角度を調整しないと決定される場合、再生画像を暗号化することを含む。たとえば、再生画像の暗号化は、再生画像を事前設定されたテキスト、ピクチャー、アニメーションなどで置き換えることであってもよい。
【００１８】
さらに、再生画像を暗号化したのち、本方法はさらに：再生活動を停止させることが要求されるかどうかを判定する段階と；再生活動を停止することが要求されている場合、再生活動を終了し、再生活動を停止することが要求されていない場合、再生活動を再開する段階とを含む。
【００１９】
従来技術に比べ、本発明のこの実施形態は、装置カメラおよび目検出技術が組み合わされる方法を使う。ユーザーがビデオ、ピクチャーまたはテキストを再生する活動を実行するとき、カメラを使って初期閲覧者数が検出され、ある時間間隔内に一回、閲覧者数が検出される。現在の閲覧者数が初期閲覧者数より少ないことが見出される場合、初期閲覧者数は更新され、現在の閲覧者数が初期閲覧者数として使われる。現在の閲覧者数が初期閲覧者数より多いことが見出される場合、暗号化を実行することが要求されるかどうかが判定される。ユーザーが暗号化を実行すると決定したのち、再生画像が暗号化される。伝統的な顔検出に比べて、本発明の実施形態は：のぞき見する者の顔がカメラの撮影範囲内に完全には現われない、のぞき見する者はのぞき見する者の目が撮影範囲内に現われる限り検出できることを実施する。このようにして、検出精度が大幅に改善され、それによりユーザーのプライベートな情報がのぞき見する者によってのぞき見されることが防止され、ユーザーの情報セキュリティが保護される。
【実施例２】
【００２０】
この実施形態は、メディア再生方法を提供する。図２に示されるように、本方法は下記を含む：
２０１．ユーザーがメディア再生活動を実行するときに、カメラをオンにして撮影範囲内の人間の目の数を検出し、初期閲覧者数を決定する段階。
【００２１】
２０２．設定された間隔で人間の目の数を検出して現在の閲覧者数を決定し、現在の閲覧者数が初期閲覧者数より大きい場合には再生画像を暗号化する段階。
【００２２】
２０３．再生画像が暗号化されたのち、閲覧者数を増やすかどうかを決定し、閲覧者数を増やすと決定される場合、初期閲覧者数を更新し、現在の閲覧者数を更新された初期閲覧者数として使う段階。
【００２３】
２０４．閲覧者数を増やさないと決定される場合、画面角度を調整するかどうかを決定する段階と；画面角度を調整すると決定される場合、画面角度が調整され、閲覧者数が初期閲覧者数に復元されることが検出されたのち、再生活動の実行を継続し、画面角度を調整しないと決定される場合、再生画像を暗号化された状態に保持する段階。
【００２４】
さらに、再生画像を暗号化された状態に保持することののちに、本方法はさらに：再生活動を停止させることが要求されるかどうかを判定する段階と；再生活動を停止することが要求されている場合、再生活動を終了し、再生活動を停止することが要求されていない場合、再生活動を再開する段階とを含む。
【００２５】
従来技術に比べ、本発明のこの実施形態は、装置カメラおよび目検出技術が組み合わされる方法を使う。ユーザーがビデオ、ピクチャーまたはテキストを再生する活動を実行するとき、カメラを使って初期閲覧者数が検出され、ある時間間隔内に一回、閲覧者数が検出される。現在の閲覧者数が初期閲覧者数より少ないことが見出される場合、初期閲覧者数は更新され、現在の閲覧者数が初期閲覧者数として使われる。現在の閲覧者数が初期閲覧者数より多いことが見出される場合、再生画像はすぐに暗号化される。ユーザーが暗号化を実行することが必要とされないと決定すれば、再生活動が再開されることができる。伝統的な顔検出に比べて、本発明の実施形態は：のぞき見する者の顔がカメラの撮影範囲内に完全には現われない、のぞき見する者はのぞき見する者の目が撮影範囲内に現われる限り検出できることを実施する。このようにして、検出精度が大幅に改善され、それによりユーザーのプライベートな情報がのぞき見する者によってのぞき見されることが防止され、ユーザーの情報セキュリティが保護される。
【実施例３】
【００２６】
この実施形態は、メディア再生方法を提供し、ビデオの再生が例として使われる。図３に示されるように、本方法は下記を含む：
３１．ユーザーがビデオ再生活動を実行することを開始する。
【００２７】
任意的に、ビデオに加えて、メディア再生の内容はピクチャー、テキストなどであってもよい。任意的に、再生活動を実行することを決定する前に、あるいは再生活動を実行している間に、ユーザーは、カメラをオンにして撮影範囲内の人間の目の数を検出し、初期閲覧者数を決定する。カメラは手動でオンにされてもよい。たとえば、のぞき見防止ショートカット・キーが設定されて、カメラは該のぞき見防止ショートカット・キーに関連付けられ、カメラをオンにするためにこののぞき見防止ショートカット・キーが使われたのち、カメラは自動的にのぞき見防止機能を実行する。カメラは再生装置と関連付けられていてもよく、再生活動が検出されるときに、のぞき見防止機能を実行するよう、カメラは自動的にオンにされる。
【００２８】
３２．再生器がビデオをデコードし、ビデオ・フレームをキャッシュに書き込む。
【００２９】
３３．暗号化信号に従って前記ビデオを暗号化することが要求されているかどうかを判定し、前記ビデオを暗号化することが要求されている場合、ステップ３４ないし３５を実行し、暗号化を実行することが要求されていない場合、ステップ３０５を実行する。
【００３０】
具体的には、暗号化信号は以下のステップを実行することによって取得される。
【００３１】
３３１．カメラがオンにされたのち、カメラは、初期閲覧者数mを決定するために、範囲内の人間の目を検出する。
【００３２】
３３２．30msの間隔で撮影範囲内の人間の目を検出して現在の閲覧者数nが初期閲覧者数mより大きいかどうかを判定し、nがmより大きい場合には、ステップ３３３を実行し、nがm以下である場合には、初期閲覧者数mをnにより更新する。ここで、検出時間間隔30msは手動で設定され、ユーザーは必要に応じて検出時間間隔を設定できる。あるいは装置が工場から配送されるときに固定した時間間隔が使われる。
【００３３】
３３３．ユーザーが、閲覧者数を増やすことが必要とされているかどうかを決定し、閲覧者数を増やすことが必要とされている場合、ステップ３３１を実行し、初期閲覧者数mをnをもって更新し、閲覧者数を増すことが必要とされていない場合、ステップ３３４を実行する。
【００３４】
３３４．ユーザーが、増加した閲覧者がビデオを見ることを防止するために画面角度を調整することが必要とされるかどうかを決定し；画面角度を調整することが必要とされる場合、画面角度が調整されたのちにステップ３３１を実行し、画面角度を調整することが必要とされていない場合、ステップ３３５を実行する。
【００３５】
３３５．暗号化信号を生成する。
【００３６】
３４．再生されているビデオを暗号化する。
【００３７】
たとえば、再生画像の暗号化は、もとのビデオの画像を事前設定されたテキスト、ピクチャー、アニメーションなどで置き換えることであってもよい。
【００３８】
３５．再生器が再生されているコンテンツを表示する。
【００３９】
さらに、再生器が再生されているコンテンツを表示したのち、ユーザーが該ビデオを閲覧することを続けない場合には、本方法はさらに下記を含む。
【００４０】
３６．現在のビデオの再生を停止させることが要求されるかどうかを判定する段階と；現在のビデオの再生を停止することが要求される場合、ステップ３７を実行し、現在のビデオの再生を停止することが要求されない場合、ステップ３２を実行する。
【００４１】
３７．再生器がビデオの再生を停止する。
【００４２】
この実施形態では、現在の閲覧者数が初期閲覧者数より多いことが見出されたのち、まず、閲覧者数を増やすことが必要とされているかどうかおよび角度を調整することが必要とされているかどうかが決定される。ビデオが暗号化されるのは、閲覧者の増加も角度調整も必要とされないときのみである。さらに、現在の閲覧者数が初期閲覧者数より多いことが見出されたのち、暗号化のステップはさらに、すぐ実行されてもよい。暗号化が実行されたのち、再生を再開するかどうかを決定するために、閲覧者数を増やすことが必要とされているかどうかおよび角度を調整することが必要とされているかどうかが決定される。上記の方法に比べて、本方法はユーザーのプライバシーをより安全に保護できるが、当該ビデオを見るユーザーの感覚的体験を低減する。
【００４３】
従来技術に比べ、本発明のこの実施形態は、装置カメラおよび目検出技術が組み合わされる方法を使う。ユーザーがビデオ、ピクチャーまたはテキストを再生する活動を実行するとき、カメラを使って初期閲覧者数が検出され、ある時間間隔内に一回、閲覧者数が検出される。現在の閲覧者数が初期閲覧者数より少ないことが見出される場合、初期閲覧者数は更新され、現在の閲覧者数が初期閲覧者数として使われる。現在の閲覧者数が初期閲覧者数より多いことが見出される場合、暗号化を実行することが要求されるかどうかが判定される。ユーザーが暗号化を実行すると決定したのち、再生画像が暗号化される。伝統的な顔検出に比べて、本発明の実施形態は：のぞき見する者の顔がカメラの撮影範囲内に完全には現われない、のぞき見する者はのぞき見する者の目が撮影範囲内に現われる限り検出できることを実施する。このようにして、検出精度が大幅に改善され、それによりユーザーのプライベートな情報がのぞき見する者によってのぞき見されることが防止され、ユーザーの情報セキュリティが保護される。
【実施例４】
【００４４】
この実施形態は、メディア再生装置を提供する。図４に示されるように、本装置は：
ユーザーがメディア再生活動を実行するときに、カメラをオンにして撮影範囲内の人間の目の数を検出し、初期閲覧者数を決定するよう構成された第一の決定ユニット４１と；
設定された間隔で人間の目の数を検出して現在の閲覧者数を決定し、現在の閲覧者数が初期閲覧者数より大きい場合には再生画像を暗号化するよう構成された処理ユニット４２とを含む。
【００４５】
さらに、処理ユニット４２はさらに：前記設定された間隔で人間の目の数を検出して現在の閲覧者数を決定し、現在の閲覧者数が初期閲覧者数以下である場合には初期閲覧者数を更新し、現在の閲覧者数を更新された初期閲覧者数として使うよう構成されている。
【００４６】
さらに、図５に示されるように、処理ユニット４２は：
現在の閲覧者数が初期閲覧者数より大きいとき、閲覧者数を増やすかどうかを決定し；閲覧者数を増やすと決定される場合、初期閲覧者数を更新し、現在の閲覧者数を更新された初期閲覧者数として使い、閲覧者数を増やさないと決定されるときは、第三の決定ユニットに実行をさせるよう構成された第二の決定ユニット４２１と；
画面角度を調整するかどうかを決定し；画面角度を調整すると決定されるときは、画面角度が調整され、閲覧者数が初期閲覧者数に復元されることが検出されたのち、再生活動の実行を継続し、画面角度を調整しないと決定されるときは、再生画像を暗号化するよう構成された前記第三の決定ユニット４２２とを含む。
【００４７】
さらに、図５に示されるように、本装置はさらに：
再生活動を停止させることが要求されるかどうかを判定し；再生活動を停止することが要求される場合、再生活動を終了し、再生活動を停止することが要求されない場合、再生活動を再開するよう構成されている第四の決定ユニット４３を含む。
【００４８】
カメラをオンにして撮影範囲内の人間の目の数を検出することは：
カメラを手動でオンにすること；またはカメラをある再生装置と関連付け、再生活動が検出されるときに自動的にカメラをオンにすることを含む。再生活動において再生されるコンテンツは、ビデオ、ピクチャーまたはテキストを含む。
【００４９】
従来技術に比べ、本発明のこの実施形態は、装置カメラおよび目検出技術が組み合わされる方法を使う。ユーザーがビデオ、ピクチャーまたはテキストを再生する活動を実行するとき、カメラを使って初期閲覧者数が検出され、ある時間間隔内に一回、閲覧者数が検出される。現在の閲覧者数が初期閲覧者数より少ないことが見出される場合、初期閲覧者数は更新され、現在の閲覧者数が初期閲覧者数として使われる。現在の閲覧者数が初期閲覧者数より多いことが見出される場合、暗号化を実行することが要求されるかどうかが判定される。ユーザーが暗号化を実行すると決定したのち、再生画像が暗号化される。伝統的な顔検出に比べて、本発明の実施形態は：のぞき見する者の顔がカメラの撮影範囲内に完全には現われない、のぞき見する者はのぞき見する者の目が撮影範囲内に現われる限り検出できることを実施する。このようにして、検出精度が大幅に改善され、それによりユーザーのプライベートな情報がのぞき見する者によってのぞき見されることが防止され、ユーザーの情報セキュリティが保護される。
【実施例５】
【００５０】
この実施形態は、メディア再生装置を提供する。図６に示されるように、本装置は：
ユーザーがメディア再生活動を実行するときに、カメラをオンにして撮影範囲内の人間の目の数を検出し、初期閲覧者数を決定するよう構成された第一の決定ユニット５１と；
設定された間隔で人間の目の数を検出して現在の閲覧者数を決定し、現在の閲覧者数が初期閲覧者数より大きい場合には再生画像を暗号化するよう構成された処理ユニット５２と；
現在の閲覧者数が初期閲覧者数より大きいとき、閲覧者数を増やすかどうかを決定し；閲覧者数を増やすと決定される場合、初期閲覧者数を更新し、現在の閲覧者数を更新された初期閲覧者数として使い、閲覧者数を増やさないと決定されるときは、第三の決定ユニット５４に実行をさせるよう構成された第二の決定ユニット５３と；
画面角度を調整するかどうかを決定し；画面角度を調整すると決定されるときは、画面角度が調整され、閲覧者数が初期閲覧者数に復元されることが検出されたのち、再生活動の実行を継続し、画面角度を調整しないと決定されるときは、再生画像を暗号化された状態に保持するよう構成された前記第三の決定ユニット５４とを含む。
【００５１】
さらに、図７に示されるように、本装置はさらに：
再生活動を停止させることが要求されるかどうかを判定し；再生活動を停止することが要求されている場合、再生活動を終了し、再生活動を停止することが要求されていない場合、再生活動を再開するよう構成されている第四の決定ユニット５５を含む。
【００５２】
従来技術に比べ、本発明のこの実施形態は、装置カメラおよび目検出技術が組み合わされる方法を使う。ユーザーがビデオ、ピクチャーまたはテキストを再生する活動を実行するとき、カメラを使って初期閲覧者数が検出され、ある時間間隔内に一回、閲覧者数が検出される。現在の閲覧者数が初期閲覧者数より少ないことが見出される場合、初期閲覧者数は更新され、現在の閲覧者数が初期閲覧者数として使われる。現在の閲覧者数が初期閲覧者数より多いことが見出される場合、再生画像はすぐに暗号化される。ユーザーが暗号化を実行しないと決定する場合には、再生活動が復元されてもよい。伝統的な顔検出に比べて、本発明の実施形態は：のぞき見する者の顔がカメラの撮影範囲内に完全には現われない、のぞき見する者はのぞき見する者の目が撮影範囲内に現われる限り検出できることを実施する。このようにして、検出精度が大幅に改善され、それによりユーザーのプライベートな情報がのぞき見する者によってのぞき見されることが防止され、ユーザーの情報セキュリティが保護される。
【００５３】
本発明の実施形態において提供されるメディア再生装置は、上記で与えた方法実施形態を実装できる。詳細な機能実装については、方法実施形態の記述を参照されたい。詳細はここで再び述べることはしない。本発明の実施形態において提供されるメディア再生方法および装置は、ユーザーがテキスト、写真またはビデオのような情報を、これに限られないが携帯電話端末、パッド装置またはコンピュータのような装置上で見るときに適用可能でありうる。
【００５４】
当業者は、実施形態における方法のプロセスの全部または一部が、関連するハードウェアに命令するコンピュータ・プログラムによって実装されてもよいことを理解しうる。プログラムはコンピュータ可読記憶媒体に記憶されていてもよい。プログラムが実行されるとき、上記実施形態における方法のプロセスが実行される。記憶媒体は：磁気ディスク、光ディスク、読み出し専用メモリ（ROM:  Read-Only  Memory）またはランダム・アクセス・メモリ（RAM:  Random  Access  Memory）を含みうる。
【００５５】
以上の記述は、単に本発明の具体的な実施形態であって、本発明の保護範囲を限定することは意図されていない。本発明において開示される技術的範囲内で当業者によって容易に理解される任意の変形または代替は、本発明の保護範囲内にはいる。したがって、本発明の保護範囲は、請求項の保護範囲に依存する。
【図１】
0005894706.tif 000002
【図２】
0005894706.tif 000003
【図３Ａ】
0005894706.tif 000004
【図３Ｂ】
0005894706.tif 000005
【図４】
0005894706.tif 000006
【図５】
0005894706.tif 000007
【図６】
0005894706.tif 000008
【図７】
0005894706.tif 000009